(57)【要約】【課題】建築部品を正しい角度位置で強固に固定することができる建築部品用固定具を提供する。【解決手段】建築部品を所定の取付面に固定するための建築部品用固定具であって、円筒状を呈する結合部を備え、建築部品に形成されためねじ穴に螺合するおねじ部が前記結合部の外周面に形成され、前記結合部の外周面には、前記建築部品のめねじ穴の内周面に圧接され得る弾性手段が設けられてなる建築部品用固定具。【選択図】　　　　図１
2004084386.tif 000002
【特許請求の範囲】
【請求項１】
建築部品を所定の取付面に固定するための建築部品用固定具であって、
円筒状を呈する結合部を備え、
建築部品に形成されためねじ穴に螺合するおねじ部が前記結合部の外周面に形成され、
前記結合部の外周面には、前記建築部品のめねじ穴の内周面に圧接され得る弾性手段が設けられてなる建築部品用固定具。
【請求項２】
前記弾性手段がＯリングからなる請求項１記載の建築部品用固定具。
【請求項３】
請求項１記載の建築部品用固定具と、該固定具のおねじ部に螺合するめねじ穴を有する建築部品とからなる建築金具。
【請求項４】
前記建築部品の、前記固定具と螺合される側の先端部に、先端に向かうにつれて肉薄となるテーパ部が形成されてなる請求項３記載の建築金具。
【発明の詳細な説明】
【０００１】
【発明の属する技術分野】
本発明は建築部品用固定具に関する。さらに詳しくは、建築部品を正しい角度位置で強固に固定することができる建築部品用固定具に関する。以下、本明細書においては、建築部品の代表的な例として、戸当りを例にあげて説明する。
【０００２】
【従来の技術】
従来より、戸当りなどの種々の建築部品が、建物の壁や床面などの所定の取付面に固定された状態で用いられている。それら建築部品のうち、戸当りは、壁や床などの所定の取付面に固定する場合、通常、ねじ込み式の固定具を用いて取り付けられる。
【０００３】
従来の固定具は、円筒状の結合部を有し、結合部の外周面におねじ部が形成されている。まず、木ネジなどによって、固定具を所定の取付面に固定し、そののち、戸当りに形成されためねじ穴を前記結合部外周のおねじ部に螺合することにより、戸当りを所定の取付面に固定することができる。
【０００４】
【発明が解決しようとする課題】
しかしながら、戸当りは、通常、ドアを全開状態に仮固定するためにドア側のフックに係合し得るリングなどの仮固定用の部材を備えている。そのため、戸当りが正しい角度位置で固定具に螺合されないと、うまくリングがフックに係合しない。一方、戸当りを正しい角度位置になるように微調整すれば、戸当りと固定具との螺合が緩むという問題が生じる。
【０００５】
また、床用戸当りの場合、先端が床と平行になるように延びるＬ字形またはＴ字形の戸当りなどがあるが、これらの戸当りの場合、正しい角度位置で戸当りが螺合されないと戸当り先端に設けられた緩衝体がドアの面に直角に当接しなかったり、または戸当りと固定具との螺合が緩むという問題がある。
【０００６】
本発明はかかる問題を解消するためになされたものであり、建築部品を正しい角度位置で強固に固定することができる建築部品用固定具を提供することを目的とする。
【０００７】
【課題を解決するための手段】
本発明の建築部品用固定具は、建築部品を所定の取付面に固定するための建築部品用固定具であって、
円筒状を呈する結合部を備え、
建築部品に形成されためねじ穴に螺合するおねじ部が前記結合部の外周面に形成され、
前記結合部の外周面には、前記建築部品のめねじ穴の内周面に圧接され得る弾性手段が設けられてなることを特徴とする。
【０００８】
前記弾性手段がＯリングからなるのが好ましい。
【０００９】
また、本発明の建築金具は、請求項１記載の建築部品用固定具と、該固定具のおねじ部に螺合するめねじ穴を有する建築部品とから構成される。
【００１０】
前記建築部品の、前記固定具と螺合される側の先端部に、先端に向かうにつれて肉薄となるテーパ部が形成されてなるのが好ましい。
【００１１】
【発明の実施の形態】
つぎに図面を参照しながら本発明の建築部品用固定具をさらに詳細に説明する。図１は本発明の建築部品用固定具の一実施の形態である壁用戸当りを固定する状態の分解斜視説明図、図２は図１の建築部品用固定具の断面説明図、図３は本発明の建築部品用固定具の弾性手段の例を示す平面説明図および図４は図１の建築部品用固定具を用いて床用戸当りを固定する状態の分解斜視説明図である。
【００１２】
本実施の形態の建築部品用固定具１は、図１〜３に示されるように、全体が円筒状を呈する、戸当りなどの建築部品と結合するための結合部２を構成している。なお、本発明では、固定具１を円筒形の結合部２だけで構成することに限定されるものではなく、円筒形の結合部２の一端にさらにフランジなどを付設したものであってもよい。
【００１３】
結合部２の外周面には、戸当りＳに形成されためねじ穴ＨのめねじＦに螺合するおねじ部３が形成されている。さらに、結合部２の外周面には、戸当りＳのめねじ穴Ｈの内周面に圧接され得る、弾性を有するＯリング４が設けられている。また、固定具１の取付面に対向する面には、仮止め用の突起５が突設されている。
【００１４】
Ｏリング４は、天然ゴム、合成ゴムまたはナイロンなどの合成樹脂などで作製することができ、結合部２の外周面に形成された円周状の溝６に嵌合することにより固定具１に取り付けられている。なお、本実施の形態では弾性手段の例として戸当りとの密着性の高いＯリングを例にあげて説明したが、本発明はこれに限定されるものではなく、図３に示されるように、弾性手段として、Ｏリング４（図３（ａ）参照）の他にも、Ｃ字状リング７（図３（ｂ）参照）、または１個または複数の矩形の弾性体ブロック８（図３（ｃ）参照）などを採用することができる。なお、弾性体ブロック８は、ねじ山の一部を取り除いて、当該ブロックを結合部２に固着することにより、固定具に取り付けることができる。また、結合部２の大きさによってＯリング４を二重、三重に設けることができ、それにより戸当りＳを強固に圧着することが可能になる。
【００１５】
かかる構成により、本実施の形態の固定具１を用いて戸当りＳを壁に固定する場合、図１に示されるように、まず、固定具１の仮止め用の突起５を壁に刺して固定具１を壁に仮固定し、ついで、木ネジＷなどの固定手段によって、木ネジＷを貫通孔９に挿通して固定具１を壁の所定の位置に固定する。そののち、戸当りＳに形成されためねじ穴Ｈを結合部外周のおねじ部３に螺合することにより、戸当りＳを所定の取付面に固定する。
【００１６】
このとき、戸当りＳに設けられたドア側のフックに係合するためのリングＲが、正しい角度位置（図１ではリングＲが垂直方向に揺動できる位置）になるように、戸当りＳの回転角度を微調整しても、Ｏリング４が戸当りＳのめねじ穴Ｈの内周面に圧接されているため、Ｏリング４が戸当りＳと固定具１とのあいだのガタを吸収し、その結果、取付け後の使用によって、戸当りＳと固定具１とのあいだの螺合が緩むことがなくなる。
【００１７】
また、以上のような本発明の固定具１を用いれば、図４に示されるＬ字形の床用戸当りＵの場合も、固定具１と正しい角度位置で螺合することにより、戸当りＵ先端に設けられた緩衝体Ｂがドアの面に直角に当接することができ、しかもリングＲもドア側のフックに係合することができる。一方、前述のようにＯリング４によって戸当りＵと固定具１との螺合が緩むことがない。
【００１８】
なお、本発明の固定具に固定され得る戸当りは、前記実施の形態で説明した直棒状戸当りＳ（図１参照）およびＬ字状戸当りＵ（図４参照）に限定されるものではなく、全周に緩衝体が設けられた円柱状の床用戸当りなど、種々の形状および構造の戸当りについても、本発明の固定具によって正しい角度位置で強固に固定することができる。
【００１９】
また、本発明の固定具で固定可能な建築部品としては、戸当りの他にも、軸回りの位置決めが必要な、たとえば壁掛けフックや指をひっかける凹部を有する取っ手などをあげることができる。
【００２０】
以上のような本発明の固定具と、該固定具のおねじ部に螺合するめねじ穴を有する戸当りなどの建築部品とからなる建築金具は、建築部品を正しい角度位置に強固に固定することができる。さらに、建築部品の、固定具と螺合される側の先端部（たとえば、図１に示される戸当りＳのめねじ穴Ｈの周縁）に、先端に向かうにつれて肉薄となるテーパ部が形成されていれば、若干の角度位置の調整はかかるテーパ部を壁などに食い込むことによって行なうことができ、この場合は正しい角度位置に固定できるだけでなく強固に建築部品を固定することができる。
【００２１】
【発明の効果】
本発明の建築部品用固定具は、建築部品を正しい角度位置で強固に固定することができる。たとえば、戸当りを固定する場合には、戸当りのリングや緩衝体を正しい角度位置に向けた状態で、戸当りを壁や床にガタが生じることなく強固に固定することができる。
【図面の簡単な説明】
【図１】本発明の建築部品用固定具の一実施の形態である壁用戸当りを固定する状態の分解斜視説明図である。
【図２】図１の建築部品用固定具の断面説明図である。
【図３】本発明の建築部品用固定具の弾性手段の例を示す平面説明図である。
【図４】図１の建築部品用固定具を用いて床用戸当りを固定する状態の分解斜視説明図である。
【符号の説明】
１　固定具
２　結合部
３　おねじ部
４　Ｏリング
【図１】
2004084386.tif 000003
【図２】
2004084386.tif 000004
【図３】
2004084386.tif 000005
【図４】
2004084386.tif 000006